(57)【要約】【課題】１枚の反射型液晶表示素子を用い、装置全体を懐中電灯やペンライトのように片手で把持し得る、コンパクトでストレートタイプの単板投写型表示装置を得る。【解決手段】光源部１から出射され、照明光学部５の光軸Ｘ１に沿って偏光分離面１６に到達した直線偏光の照明光は、偏光分離面１６で直角に反射され、反射光学部（反射ミラー１８および１/４波長板２２）１７に到達する。反射光学部１７では、偏光の位相を逆位相としつつ、照明光を偏光分離面１６方向に反射する。照明光は、偏光分離面１６を透過し、反射型液晶表示素子２４に到達する。反射型液晶表示素子２４において、照明光は、映像情報が担持されて変調光に変換される。このとき、直線偏光の位相が再び逆位相とされ、偏光分離面１６で直角に反射されて投写レンズ２６に到達し、スクリーン上に拡大投写される。光軸Ｘ１と光軸Ｘ２が互いに平行となり、ストレートタイプの装置に構成できる。【選択図】図１
2010091927.tif 000002
【特許請求の範囲】
【請求項１】
光源と、
前記光源から出射された照明光により照明され、所定の映像信号に応じた変調光を出射する１枚の反射型ライトバルブと、
所定の直線偏光とされた前記照明光を直角方向に反射するとともに、前記反射型ライトバルブにより該所定の直線偏光とされた前記変調光を直角方向に反射する偏光分離面と、
前記偏光分離面から反射された照明光に対し、直線偏光の位相を180度回転させつつ、該偏光分離面を挟んで対向する前記反射型ライトバルブに向けて反射する反射光学部と、
前記偏光分離面からの前記変調光に担持された映像情報を拡大投写する投写レンズとを備えてなることを特徴とする単板投写型表示装置。
【請求項２】
前記照明光を前記偏光分離面に導く照明光学部の光軸と、前記投写レンズの光軸とが互いに平行となるように配されていることを特徴とする請求項１記載の単板投写型表示装置。
【請求項３】
前記偏光分離面と前記投写レンズとの間に偏光の振動面の方向を規制する偏光板が配されたことを特徴とする請求項１または２記載の単板投写型表示装置。
【請求項４】
前記反射光学部が反射ミラーと、該反射ミラーの前記偏光分離面側に配された１／４波長板により構成されたことを特徴とする請求項１〜３のうちいずれか１項記載の単板投写型表示装置。
【請求項５】
前記反射光学部の反射ミラーが前記偏光分離面側に凹となる凹面ミラーであることを特徴とする請求項４記載の単板投写型表示装置。
【請求項６】
前記反射光学部の反射ミラーが正レンズの、前記偏光分離面とは逆側のレンズ面に反射膜を形成したものからなることを特徴とする請求項４記載の単板投写型表示装置。
【請求項７】
前記反射光学部が反射型液晶表示素子からなることを特徴とする請求項１〜３のうちいずれか１項記載の単板投写型表示装置。
【請求項８】
前記光源部がＬＥＤからなることを特徴とする請求項１〜７のうちいずれか１項記載の単板投写型表示装置。
【請求項９】
前記光源部がレーザーからなることを特徴とする請求項１〜７のうちいずれか１項記載の単板投写型表示装置。
【請求項１０】
前記投写レンズが、以下の条件式（１）、（２）を満足することを特徴とする請求項１〜９のうちいずれか１項記載の単板投写型表示装置。
２０＜Ｓ／ＯＢＪ＜６５・・・・（１）
２．５＜β／Ｓ＜１０．０・・・・（２）
ここで、
Ｓ：拡大側画像の最大長さ(インチ)
ＯＢＪ：拡大側投写距離(ｍ)
β：拡大倍率
【請求項１１】
前記投写レンズが、以下の条件式（１´）、（２）、（３）を満足することを特徴とする請求項１〜９のうちいずれか１項記載の単板投写型表示装置。
３５＜Ｓ／ＯＢＪ＜１４０・・・・（１´）
２．５＜β／Ｓ＜１０．０・・・・（２）
３．０＜Ｓ＜１０．０・・・・（３）
ここで、
Ｓ：拡大側画像の最大長さ(インチ)
ＯＢＪ：拡大側投写距離(ｍ)
β：拡大倍率
【発明の詳細な説明】
【技術分野】
【０００１】
本発明は、反射型ライトバルブに表示された画像をスクリーン上に拡大投映する投写型画像表示装置に関し、特に、携帯性に優れ、片手でも把持し得る単板投写型表示装置に関する。
【背景技術】
【０００２】
近年、プロジェクタにおいて、携帯性に優れたハンディータイプの単板投写タイプのものが求められている。
【０００３】
そのようなハンディータイプのものの中でも、プロジェクタを懐中電灯やペンライトのように片手で把持し、所望する場所（例えば、壁や天井等）に投写することができれば便利である。
【０００４】
ところで、プロジェクタに搭載されるライトバルブとして、反射型液晶表示素子（ＬＣＯＳ）やＤＭＤ（デジタル・マイクロ・デバイス）等の反射型ライトバルブが知られている。反射型ライトバルブは、透過型のものよりも開口率を増大させることができ、高解像度化、高照度化の要求を満足させ得るという利点を有するばかりではなく、装置のコンパクト化を促進し得る点でも有用である。
【０００５】
このような、装置の携帯性を高め得る反射型液晶表示素子としては、例えば図６に示す投写型表示装置のように、いわゆるカラークワッド（所定波長域の偏光を回転させる波長選択偏光ローテーターおよびＰＢＳプリズムを組み合わせた光学系）４６０と３枚の反射型液晶表示素子４２４ａ，ｂ，ｃを用い、投写レンズ４２６を介して、映像をスクリーンに投写するようにしたものが知られている（このようなタイプの投写型表示装置は下記特許文献１に示されている）。
【０００６】
また、例えば図７に示す投写型表示装置のように、１枚の反射型液晶表示素子５２４と偏光分離面５１６を有する偏光プリズム５１４を用い、投写レンズ５２６を介して、映像をスクリーンに投写するようにした単板式のものが知られている（このようなタイプの投写型表示装置は下記特許文献２に示されている。
【０００７】
【特許文献１】特開２００１−２８１６１４号公報
【特許文献２】特開２００１−２０１７９３号公報
【発明の開示】
【発明が解決しようとする課題】
【０００８】
しかしながら、上述した従来技術のもののうち、図６（特許文献１等）に記載のものは、ライトバルブが反射型液晶表示素子４２４ａ，ｂ，ｃからなる３板式とされており、また、いわゆるカラークワッド４６０を用いているため、光源部４０１と照明光学系（フライアイ４０６、櫛型フィルタ４０８およびフィールドレンズ４１０等）からなる前段部と、投写レンズ４２６からなる後段部の中間部分で幅が大幅に拡がってしまい、小型化を大幅に促進することが難しい上、懐中電灯やペンライトのように片手で把持するストレートタイプの装置には適さない。
【０００９】
一方、上述した従来技術のもののうち、図７（特許文献２等）に記載のものはライトバルブが反射型液晶表示素子５２４からなる単板式とされてはいるものの、光源部５０１および照明光学系（フライアイ５０６、櫛型フィルタ５０８およびフィールドレンズ５１０等）の光軸Ｘ１と投写レンズ５２６の光軸Ｘ２とが、偏光分離面５１６で直角に折れ曲がっており、やはり片手で把持するストレートタイプの装置には適さない。
【００１０】
本発明はこのような事情に鑑みなされたものであって、１枚の反射型ライトバルブを用い、装置全体を懐中電灯やペンライトのように片手で把持し得る、コンパクトでストレートタイプの単板投写型表示装置を提供することを目的とするものである。
【課題を解決するための手段】
【００１１】
本発明に係る単板投写型表示装置は、
光源と、
前記光源から出射された照明光により照明され、所定の映像信号に応じた変調光を出射する１枚の反射型ライトバルブと、
所定の直線偏光とされた前記照明光を直角方向に反射するとともに、前記反射型ライトバルブにより該所定の直線偏光とされた前記変調光を直角方向に反射する偏光分離面と、
前記偏光分離面から反射された照明光に対し、直線偏光の位相を180度回転させつつ、該偏光分離面を挟んで対向する前記反射型ライトバルブに向けて反射する反射光学部と、
前記偏光分離面からの前記変調光に担持された映像情報を拡大投写する投写レンズとを備えてなることを特徴とするものである。
【００１２】
この場合において、前記照明光を前記偏光分離面に導く照明光学部の光軸と、前記投写レンズの光軸とが互いに平行となるように配されていることが好ましい。
【００１３】
また、前記偏光分離面と前記投写レンズとの間に偏光度を調整する偏光板が配されていることが好ましい。
【００１４】
また、前記反射光学部を反射ミラーと、該反射ミラーの前記偏光分離面側に配された１／４波長板により構成することが可能である。
【００１５】
また、前記反射光学部の反射ミラーを、前記偏光分離面側に凹となる凹面ミラーとすることや、正レンズの、前記偏光分離面とは逆側のレンズ面に反射膜を形成したものとすることが可能である。
【００１６】
また、前記反射光学部を反射型液晶表示素子から構成することも可能である。
【００１７】
また、前記光源部がＬＥＤまたはレーザーから構成することができる。
【００１８】
また、前記投写レンズが、以下の条件式（１）、（２）を満足することが好ましい。
２０＜Ｓ／ＯＢＪ＜６５・・・・（１）
２．５＜β／Ｓ＜１０．０・・・・（２）
ここで、
Ｓ：拡大側画像の最大長さ(インチ)
ＯＢＪ：拡大側投写距離(ｍ)
β：拡大倍率
【００１９】
あるいは、前記投写レンズが、以下の条件式（１´）、（２）、（３）を満足することが好ましい。
３５＜Ｓ／ＯＢＪ＜１４０・・・・（１´）
２．５＜β／Ｓ＜１０．０・・・・（２）
３．０＜Ｓ＜１０．０・・・・（３）
ここで、
Ｓ：拡大側画像の最大長さ(インチ)
ＯＢＪ：拡大側投写距離(ｍ)
β：拡大倍率
【発明の効果】
【００２０】
本発明に係る単板投写型表示装置によれば、光源部から出射され、照明光学部の光軸に沿って偏光分離面に到達した直線偏光の照明光は、この偏光分離面で直角に反射され、この偏光分離面の側方に配された反射光学部に到達する。この反射光学部では、入射した直線偏光の位相を180度回転させ、照明光を偏光分離面方向に反射する。この照明光は、直線偏光の位相が180度回転しているので、偏光分離面を透過し、反射光学部とは偏光分離面を挟んで反対側に位置する反射型ライトバルブに到達する。この反射型ライトバルブにおいて、照明光は、位相が180度回転されるとともに、映像情報が担持されて変調光に変換され、偏光分離面方向に反射される。反射型ライトバルブで反射された変調光は、直線偏光の位相が再び180度回転しているので、偏光分離面で直角に反射されて投写レンズに到達し、この投写レンズにより変調光に担持された映像情報を拡大投写することになる。
【００２１】
このように、本発明に係る単板投写型表示装置においては、偏光分離面の側方に、反射型ライトバルブと対向するようにして、入射照明光の直線偏光の位相を180度回転させながら、反射型ライトバルブに向けて反射する反射光学部を配しており、これにより、照明光学部の光軸と投写レンズの光軸とが、全体としてストレートな構成となるようにすることができる。
【００２２】
また、装置構成をコンパクトとし得る反射型ライトバルブを用い、かつ単板式としているので、装置全体を懐中電灯やペンライトのように片手で把持し得る、コンパクトでストレートタイプの単板投写型表示装置とすることが容易である。
【発明を実施するための最良の形態】
【００２３】
以下、本発明の実施形態について図面を参照しつつ説明する。
【００２４】
＜実施例１＞
図１は、本発明の実施例１に係る単板投写型表示装置を説明するための概略図である。
【００２５】
この装置は、光源部１と、光源部１から出射された照明光により照明され、所定の映像信号に応じた変調光を出射する１枚の反射型液晶表示素子（ＬＣＯＳ：以下同じ）２４と、直線偏光とされた照明光を直角方向に反射するとともに、直線偏光からなる変調光を直角方向に反射する偏光分離面１６と、偏光分離面１６で反射された照明光を、直線偏光の位相を180度回転させ（逆位相とさせ）つつ、偏光分離面１６を挟んで対向する反射型液晶表示素子２４に向けて反射する反射光学部１７と、偏光分離面１６で反射された変調光に担持された映像情報を拡大投写する投写レンズ２６とを備えている。
【００２６】
また、光源部１は、発光体２と、放物面鏡等のリフレクタ４とからなり、この光源部１の後段には、照明光の均一化を図るためのフライアイインテグレータ６と、振動面が直交する２つの直線偏光の一方を他方に揃えて出射する偏光変換素子（櫛型フィルタ）８と、１対のフィールドレンズ（コンデンサレンズ）１０、１２とからなる照明光学部５が配されている。また、この実施例１の装置においては、偏光分離面１６は偏光プリズム１４内に設けられており、また、反射光学部１７が、偏光プリズム１４とは反対側の面が反射面２０とされた平面反射ミラー１８と、この平面反射ミラー１８の偏光プリズム１４側に配された１/４波長板２２とから構成されている。
【００２７】
このように配された本実施例装置の光路に着目して説明すると、光源部１から出射され、照明光学部５の光軸Ｘ１に沿って偏光分離面１６に到達した直線偏光（例えばＳ偏光）の照明光は、この偏光分離面１６で直角に反射され、この偏光分離面１６の側方に配された反射光学部（反射ミラー１８および１/４波長板２２）１７に到達する。この反射光学部１７では、入射した直線偏光が出射するまでに１/４波長板２２を２回通過するので、偏光の位相が180度回転して（例えば、Ｓ偏光からＰ偏光へ変換）、照明光を偏光分離面１６方向に反射する。したがって、このときの照明光は、照明光学部５から入射された状態とは位相が180度回転した直線偏光とされており、偏光分離面１６を透過して、反射型液晶表示素子２４に到達する。この反射型液晶表示素子２４において、照明光は、映像情報が担持されて変調光に変換されるが、このとき、直線偏光の位相が再び180度回転され（例えば、Ｐ偏光からＳ偏光へ変換され）て、偏光分離面１６方向に反射される。これにより、変調光は偏光分離面１６で直角に反射されて投写レンズ２６に到達し、この投写レンズの光軸Ｘ２に沿って進み、図示されないスクリーン上に拡大投写される。
【００２８】
本実施例１のものにおいては、上述したような構成とされており、特に、偏光分離面１６（偏光プリズム１４）の側方に、上述した反射光学部１７を配置し、偏光分離面１６からの照明光を、偏光分離面１６を挟んで対向する反射型液晶表示素子２４に向けて反射するとともに、入射した直線偏光の位相を180度回転させる反射光学部１７を設けたことにより、照明光学部５の光軸Ｘ１と投写レンズ２６の光軸Ｘ２とを略直線状（少なくとも互いに平行）とすることができ、装置全体を懐中電灯やペンライトのように片手で把持し得る、コンパクトでストレートタイプの単板投写型表示装置とすることができる。
【００２９】
図５は、このようにして構成された、ストレートタイプの単板投写型表示装置の外形を示す概略図である。すなわち、この単板投写型表示装置６００は、把持部６１０と、この把持部６１０から前方に突出する鏡筒部６２０とからなり、把持部６１０の表面にはメインスイッチ６３０が設けられ、その内部には光源部１と照明光学部５が設けられており、一方、鏡筒部６２０の前面部には投写光が出力される透孔６４０が設けられ、その内部には投写レンズ２６が設けられている。
【００３０】
また、この装置の反射型液晶表示素子２４に対する映像信号の供給は、有線または無線のいずれの通信手法を用いて取得したものによってもよい。また、ＵＳＢやメモリカードからの情報を読み込むことによって、映像情報が供給されるようにしてもよい。
【００３１】
また、近接した位置に配した携帯モバイルによって受信された映像情報をケーブルや、Bluetooth等の無線通信手法を用いて単板投写型表示装置に送信されることにより、あるいは単板投写型表示装置に内蔵した通信手段によって映像情報を取得することにより、その映像情報を反射型液晶表示素子２４に供給するようにしてもよい。
【００３２】
＜実施例２＞
図２は、本発明の実施例２にかかる単板投写型表示装置の構成を示す概略図である。
【００３３】
この装置は実施例１の装置と基本構成が略同様とされ、作用効果も略同様とされるものであるので、機能が共通する部材については、実施例１の部材の符号に１００を加えた符号により表し、主として実施例１と機能が異なる部材について説明を行なう。
【００３４】
この装置は、光源部１０１の発光体が、ＲＧＢの各色光を出力するＬＥＤ１０２Ｒ，Ｇ，Ｂからなり、照明光学部１０５がフィールドレンズ１１０のみからなる点において実施例１のものと異なっている。なお、図２のＬＥＤ１０２Ｒ，Ｇ，Ｂは模式的に描かれたものであって、各色ＬＥＤが１つずつ配されていることを意味するものではなく、ＲＧＢの各色光を出力するＬＥＤの組が複数個配列されるようにしてもよい。また、反射光学部１１７を構成する反射ミラーは、正レンズ１１８の、偏光分離面１１６（および偏光プリズム１１４）とは逆側のレンズ面（平面）に反射面１２０を形成したものからなる点、ならびに、偏光プリズム１１４の近傍、かつ光源部１０１側および投写レンズ１２６側には各々偏光板１３０、１３２が配されている点においても、実施例１のものと異なっている。なお、偏光板１３０は、光源部１０１からの照明光が偏光分離面１１６において反射され得る直線偏光となるように、直線偏光の振動面を規制するものであり、偏光板１３２は、投写画像のコントラストを上げるために、直線偏光の振動面を規制するものである。
【００３５】
＜実施例３＞
図３は、本発明の実施例３にかかる単板投写型表示装置の構成を示す概略図である。
【００３６】
この装置は実施例１、２の装置と基本構成が略同様とされ、作用効果も略同様とされるものであるので、機能が共通する部材については、実施例１の部材の符号に２００を加えた符号により表し、主として実施例１、２と機能が異なる部材について説明を行なう。
【００３７】
この装置は、光源部２０１を構成する発光体であって、ＲＧＢの各色光を出力するＬＥＤ２０２Ｒ，Ｇ，Ｂが、円弧状に、かつその円の曲率中心に向けて照明光を出射するように配され、その曲率中心にはロッドインテグレータ２０６の入射面が配されている点において実施例１、２のものと異なっている。また、ロッドインテグレータ２０６を用いているのは、各ＬＥＤ２０２Ｒ，Ｇ，Ｂからの照明光を混合して均一化するのに適しているからである。また、実施例１のフィールドレンズ１２に替えて、偏光プリズム２４０の照明光入射面が光源部１側に凸面を向けた構成とされている。また、反射光学部２１７は、実施例２のものとは、１／４波長板２２２と反射面２２０を有する正レンズ２１８からなる点で同様であるが、この反射面２２０が偏光プリズム２１４側に凹面を向けた凹面ミラーである点において異なっており、この凹面ミラーによっても照明光を収束させようとするものである。なお、偏光板２３２は、実施例２の偏光板１３２と同様の機能を有する。
【００３８】
＜実施例４＞
図４は、本発明の実施例４にかかる単板投写型表示装置の構成を示す概略図である。
【００３９】
この装置は実施例１、２、３の装置と基本構成が略同様とされ、作用効果も略同様とされるものであるので、機能が共通する部材については、実施例１の部材の符号に３００を加えた符号により表し、主として実施例１、２、３と機能が異なる部材について説明を行なう。
【００４０】
この装置は、光源部３０１を構成する発光体であって、ＲＧＢの各色光を出力するＬＥＤ３０２Ｒ，Ｇ，Ｂ、からの照明光が、凹面ミラー３０４により反射されて、ロッドインテグレータ３０６の入射面に入射するようになっている点、ロッドインテグレータ３０６で混合、均一化された照明光が、フィールドレンズ３１０を介して偏光分離面３１６に入射する点、および偏光分離面３１６が板状の偏光分離板３１４の投写レンズ３２６側に設けられている点、が実施例１、２、３とは異なっている。なお、本実施例においては、光源部３０１からリフレクタ３０４に至る光軸が、照明光学部３０５の光軸Ｘ１から折れ曲がっていることになるが、本願発明の単板投写型表示装置においては、照明光学部３０５の大部分の光軸Ｘ１が投写レンズ３２６の大部分の光軸Ｘ２と平行とされ、実質的にストレートタイプの外形状が得られれば、これも含む趣旨である。
【００４１】
さらに、反射光学部３１７が、反射型液晶表示素子３１８により構成されている（正レンズ３５０を含む）点において、実施例１、２、３のものとは異なっている。反射型液晶表示素子３１８は、反射ミラーとしての機能および１／４波長板の機能を併せ有しているので、この両者に替えて配設したものである。
【００４２】
＜その他の共通構成＞
上述した実施例１〜４のいずれの単板投写型表示装置においても、単一の反射型液晶表示素子を有するように構成されており、単板式の種々のカラー画像の投写手法が用いられ得る。例えば、光源部の発光体を、Ｒ，Ｇ，Ｂの色光順次に発光させ、この発光に同期させて、対応する色光用の映像を反射型液晶表示素子に表示するようにしてもよい。
【００４３】
この場合には、発光体の発光タイミングと反射型液晶表示素子における映像表示のタイミングの同期をとるための、図示されないＣＰＵ等を設けることが望ましい。
【００４４】
また、上述した、いずれの実施例の単板投写型表示装置においても、以下の条件式（１）、（２）を満足することがより好ましい。
２０＜Ｓ／ＯＢＪ＜６５・・・・（１）
２．５＜β／Ｓ＜１０．０・・・・（２）
ここで、
Ｓ：拡大側画像の最大長さ(インチ)
ＯＢＪ：拡大側投写距離(ｍ)
β：拡大倍率
【００４５】
上記条件式（１）の範囲外となると、投写画面サイズおよび投写距離を適切な値とすることが困難となる。
すなわち、この条件式（１）の上限を上回ると投写サイズが大きくなり過ぎて暗くなるか、投写距離が小さくなり過ぎて多人数で同時に見ることができなくなってしまう。一方、この下限を下回ると、投写サイズが小さくなり過ぎて拡大投写の意味がなくなってしまうか、投写距離が大きくなり過ぎて画像が暗くなってしまう。
【００４６】
また、上記条件式（２）は、諸収差を考慮しない場合、パネルのサイズとして０．１インチから０．４インチのものを使用することが条件となることを意味する。現在、一般的に使用されている液晶表示パネルは、０．６〜０．７インチまたは１．３インチであるから、一般のものより、対角で２倍程度小さいものが要求されることになる。
【００４７】
上記条件式（２）の範囲外となると、装置の大型化を抑制しつつ、照明効率の向上および画面の高精細化を図ることが、困難となる。
すなわち、この条件式（２）の上限を上回ると、エタンデュの原理から照明効率が低下することになり、または、高精細な画面の作成が困難となる。一方、この下限を下回ると、装置が大型化し、携帯性に優れた投写型表示装置を作成することが困難となる。
【００４８】
上述した条件式（１）、（２）を満足することにより、例えば２０〜４０インチの投写画像を、例えば１ｍ程度離れた位置から投写する投写型表示装置を作成することが可能となる。
【００４９】
また、スクリーン一体型で超小型とし、例えば、３〜１０インチ程度の投写画像を投写する投写型表示装置を作成するような場合には、上記条件式（１）、（２）を満足する替わりに、下記条件式（１´）、（２）、（３）を満足することが好ましい。
３５＜Ｓ／ＯＢＪ＜１４０・・・・（１´）
２．５＜β／Ｓ＜１０．０・・・・（２）
３．０＜Ｓ＜１０．０・・・・（３）
ここで、
Ｓ：拡大側画像の最大長さ(インチ)
ＯＢＪ：拡大側投写距離(ｍ)
β：拡大倍率
【００５０】
これら条件式（１´）、（２）、（３）を満足することにより、例えば、超コンパクト化された手持ち可能な単板投写型表示装置を構成することができる。
【００５１】
なお、この単板投写型表示装置によれば、装置の大型化を抑制しつつ、照明効率の向上および画面の高精細化を図る、との条件式（１）による効果と同様の条件式（１´）による効果を得ることができ、さらに投写画面サイズおよび投写距離を適切な値とする、との条件式（２）による作用効果を得ることができる。
【００５２】
また、上記条件式（３）が満足されないと、適切な大きさのライトバルブサイズとすることが難しくなる。すなわち、この条件式（３）を満足することで、ライトバルブのサイズが小さ過ぎず、かつ投写画像が暗くなり過ぎない大きさとすることが可能となる。
【００５３】
なお、上述した偏光分離面と反射型液晶表示素子との間の光路中にミラー等が配設されている場合にも、上記実施形態のものと実質的に同じ作用を奏するのであれば、上記実施形態に含まれるものである。
【００５４】
なお、本発明の単板投写型表示装置としては、上記構成のものに限られるものではなく、種々の装置構成の態様の変更が可能である。ライトバルブや照明光学系としても、上記で説明したもののほか、適切な構成を採用することができる。
【００５５】
また、反射型液晶表示素子に替えてＤＭＤ等の他の反射型ライトバルブを用いることも可能である。
【００５６】
また、前記光源部の発光体としては、ＬＥＤや半導体レーザーを用いることが可能であり、これにより装置のコンパクト化を図ることができる。勿論、他の種類のレーザーや他の種類の光源を用いることも可能である。
【００５７】
なお、照明光は、光源から出射される段階で直線偏光であってもよいし、光源から出射された後に直線偏光に変換されるようにしてもよい。
【図面の簡単な説明】
【００５８】
【図１】実施例１の単板投写型表示装置の光学配置を示す概略図
【図２】実施例２の単板投写型表示装置の光学配置を示す概略図
【図３】実施例３の単板投写型表示装置の光学配置を示す概略図
【図４】実施例４の単板投写型表示装置の光学配置を示す概略図
【図５】実施例１の単板投写型表示装置の外形を示す概念図
【図６】従来技術１の投写型表示装置の光学配置を示す概略図
【図７】従来技術２の投写型表示装置の光学配置を示す概略図
【符号の説明】
【００５９】
１、１０１、２０１、３０１、４０１、５０１    光源部
２、１０２Ｒ，Ｇ，Ｂ、２０２Ｒ，Ｇ，Ｂ、３０２Ｒ，Ｇ，Ｂ    発光体
４、３０４    リフレクタ
５、１０５、２０５、３０５    照明光学部
６、２０６、３０６、４０６、５０６    インテグレータ
８、４０８、５０８    偏光変換素子（櫛型フィルタ）
１０、１２、１１０、３１０、４１０、５１０    フィールドレンズ
１４、１１４、２１４、５１４    偏光プリズム
１６、１１６、２１６、３１６、５１６    偏光分離面
１７、１１７、２１７、３１７    反射光学部
１８、１１８、２１８    反射ミラー
２０、１２０、２２０    反射面
２２、１２２、２２２    １/４波長板
２４、１２４、２２４、３１８、３２４、４２４ａ，ｂ，ｃ、５２４    反射型液晶表示素子
２６、１２６、２２６、３２６、４２６、５２６    投写レンズ
１３０、１３２、２３２、３３２    偏光板
２４０    凸面
３１４    偏光分離板
３５０    正レンズ
４６０    カラークワッド
６００    単板投写型表示装置
６１０    把持部
６２０    鏡筒部
６３０    メインスイッチ
６４０    透孔
Ｘ、Ｘ１、Ｘ２    光軸
【図１】
2010091927.tif 000003
【図２】
2010091927.tif 000004
【図３】
2010091927.tif 000005
【図４】
2010091927.tif 000006
【図５】
2010091927.tif 000007
【図６】
2010091927.tif 000008
【図７】
2010091927.tif 000009